(57)【要約】      （修正有）【課題】ペイスト材からの剥離作業から目的とする書籍のページ間（喉部分）への挿し込み作業まで手間がかからない電子タグを提供する。【解決手段】ベーステープ２の少なくとも一方の面に接着剤層を介して、非接触式の無線式ＩＣチップ３とアンテナ４を備えた電子タグ１であって、その電子タグ１はペイスト材に平行に並設したアッセンブリとし、ベーステープ２の長手方向には操作作業用の摘み部６を備えた電子タグ１において、電子タグ１はペイスト材からカッティングされて、単一ごとに取り外せる構成とした。【選択図】図１
2019045664.tif 000002
【特許請求の範囲】
【請求項１】
ベーステープの少なくとも一方の面に接着剤層を介して、非接触式の無線式ＩＣチップとアンテナを備えた電子タグであって、その電子タグはペイスト材に平行に並設したアッセンブリとし、前記したベーステープの長手方向には操作作業用の摘み部を備えた電子タグにおいて、前記した電子タグはペイスト材からカッティングされて、単一ごとに取り外せる構成としたことを特徴とする電子タグ。
【請求項２】
前記したベーステープの両面には各々両面テープが設けられ、その一方の両面テープの表面には剥離紙が貼装され、他方の両面テープの表面には摘み部を備えたペイスト材が貼装されていることを特徴とする請求項１に記載の電子タグ。
【請求項３】
前記したベーステープと位置的に対応するペイスト材の部分には、裏面に剥離紙が粘着剤で貼装され、その裏面側の剥離紙の外表面にはペイスト材からのばらつきを抑止するため弱粘着剤で、さらに別途の剥離紙を重合させてあることを特徴とする請求項１または２に記載の電子タグ。
【請求項４】
前記したベーステープは５本を一単位とし、その少なくとも一方の端部を非接着として浮かせてあることを特徴とする請求項１から３のうち１項に記載の電子タグ。
【請求項５】
前記した無線式ＩＣチップの表面には保護用のアンダーフィルムを備えていることを特徴とする請求項１に記載の電子タグ。
【請求項６】
前記したベーステープは摘み部と対応する位置まで延在していることを特徴とする請求項１から５のうち１項に記載の電子タグ。
【発明の詳細な説明】
【技術分野】
【０００１】
本発明は電子タグに関し、特に書籍の管理用として使用されることを目的とする電子タグに関する。
【背景技術】
【０００２】
従来、ベーステープ上に無線式ＩＣタグとアンテナからなる非接触式タグを接着剤により設け、書籍のページ間、特に喉部分に貼装して、その書籍個体を管理する電子タグが知られており、この電子タグには磁気式タグを併用して不正の持出しを監視することもできるようにしたタイプのものも知られている。
【０００３】
この電子タグはシート状あるいはロール状のペイスト材（台紙）に複数個が並設されたアッセンブリとされ、一枚づつをペイスト材から剥離して、対象物の面に貼装して使用されるものとなっている。アッセンブリ状態にあっては、ベーステープの少なくとも非接触式タグが設けられている接着剤層の表面には剥離紙が備えられており、この剥離紙を剥がして利用に供される。
【０００４】
また、従来の電子タグは、ペイスト材に並設された状態から、一枚づつを手作業で剥離して取り外し、対象物の対象面への貼装（貼着）する作業も手作業となり、非常に細かな作業となり、面倒で、かつ、ある程度の熟練性も要求されるものとなっていた。
【先行技術文献】
【特許文献】
【０００５】
【特許文献１】特開２０１７−４５０８２号公報
【発明の概要】
【発明が解決しようとする課題】
【０００６】
本発明が解決しようとする問題点は、従来の電子タグをペイスト材から一枚づつを剥離して取り外す作業の手作業による煩わしさであり、その剥離作業から目的とする書籍のページ間（喉部分）への挿し込み作業まで手間がかかってしまうという点である。
【課題を解決するための手段】
【０００７】
上記した問題点を解決するために、本発明に係る電子タグは、ベーステープの少なくとも一方の面に接着剤層を介して、非接触式の無線式ＩＣチップとアンテナを備えた電子タグであって、その電子タグはペイスト材に平行に並設したアッセンブリとし、前記したベーステープの長手方向には操作作業用の摘み部を備えた電子タグにおいて、前記した電子タグはペイスト材からカッティングされて、単一ごとに取り外せる構成としたことを特徴としている。
【０００８】
また、本発明に係る電子タグは、前記したベーステープの両面には各々両面テープが設けられ、その一方の両面テープの表面には剥離紙が貼装され、他方の両面テープの表面には摘み部を備えたペイスト材が貼装されていることを特徴としている。
【０００９】
さらに、本発明に係る電子タグは、前記したベーステープと位置的に対応するペイスト材の部分には、裏面に剥離紙が粘着剤で貼装され、その裏面側の剥離紙の外表面にはペイスト材からのばらつきを抑止するため弱粘着剤で、さらに別途の剥離紙を重合させてあることを特徴としている。
【００１０】
そして、本発明に係る電子タグは、前記したベーステープは５本を一単位とし、その少なくとも一方の端部を非接着として浮かせてあることを特徴とし、前記した無線式ＩＣチップの表面には保護用のアンダーフィルムを備えていることを特徴とし、前記したベーステープは摘み部と対応する位置まで延在していることを特徴としている。
【発明の効果】
【００１１】
本発明に係る電子タグは、上記ように構成されている。そのため、摘み部を形成してあるパートはペイスト材からカッティングで非接触式タグを備えたベーステープと共に、一体的にペイスト材から取り外すことができる。従って、剥離という細かな手作業は、刳り貫き作業に近くなり細かな気配りは不要となる。また、ベーステープと対応する位置のペイスト材の裏面側から剥離紙が粘着剤で貼装されており、部分的な補強がなされ、ペイスト材から、電子タグがばらついて離脱してしまうことを防止している。
【図面の簡単な説明】
【００１２】
【図１】電子タグの正面図である。
【図２】電子タグのアッセンブリ状態を示す図である。
【図３】電子タグの重合状態を示す図である。
【図４】電子タグの構成要素を示す分解図である。
【発明を実施するための形態】
【００１３】
図面として示し、実施例で説明したように構成したことで実現した。
【実施例１】
【００１４】
次に、本発明の好ましい実施の一例を図面を参照して説明する。図中１は電子タグを示しており、この電子タグ１はベーステープ２の一方面の略中央位置で、そのベーステープ２の長手方向に沿った一方縁に片寄せて、無線式ＩＣチップ３と、その無線式ＩＣチップ３を通信可能とする送受信用のアンテナ４が接着剤層上に固着装備されている。
【００１５】
また、図中５は一方端部に操作摘み部６を一体に形成してあるガイドであり、このガイド５と前記したベーステープ２は両面テープ８を介在して連接されている。
【００１６】
前記した構成の電子タグ１、１‥はペイスト材（台紙）７に等間隔をもって平行に複数個、本実施例では５個が並設されているアッセンブリとされている。このアッセンブリ状態にあっては、即ち、電子タグ１の使用前の状態では、各電子タグ１、１‥の表面には前記したのとは別途の両面テープ９を介在して、ペットフィルムによる剥離紙１０が設けられている。このペットフィルムによる剥離紙１０はロールされたものを回転しながら転接することにより貼装されている。
【００１７】
このアッセンブリ状態では電子タグ１の無線式ＩＣチップ３が、このアッセンブリ自体の重合や、何らかの衝撃によって破損してしまう虞もあるので、アンダーフィルムを備えて、この無線式ＩＣチップ３を保護する構成とすることができる。
【００１８】
そして、このアッセンブリ状態で、電子タグ１はガイド５を含めた状態で、そのガイド５の形状で外縁に沿ってダイカットされており、電子タグ１をガイド５ごと、即ち、ペイスト材７ごと刳り出し、取り出すことができる構成となっている。即ち、前記したガイド５はペイスト材７が転用されることとなる。
【００１９】
かかるアッセンブリ状態で、カットされたガイド５の背面はコーティング処理され、粘着材を介して、そのガイド５と同一形状の剥離紙１１が重合されている。つまり、ペイスト材７の裏面に設けられた剥離紙１１はガイド５と共に同時にカッティング処理されている。また、ペイスト材７から、使用しない電子タグ１、１‥がばらけて外れ落ちることのないように、弱粘着性の接着剤により背面をコーティング処理された剥離紙１２を重合して保護している。
【００２０】
また、かかるアッセンブリ状態にあって、ベーステープ２の少なくとも一方端は非接着として浮かしてあり、電子タグ１を取り外し、使用する際に、ガイド５との剥離作業も容易に実行することができるものとしてある。
【００２１】
さらに、前記した剥離紙１０は帯状の長尺物として、ペイスト材７の裏面まで折り返して使用することで、背面のばらつき防止用の剥離紙１２と兼用させ、一気にその剥離紙を取り外してしまうことも可能となる。
【００２２】
そして、ガイド５の少なくとも摘み部６の外縁は曲線で構成され、コーナーもアール状に形成してあり、角張ったコーナーは排除してある。これによって、角張ったコーナーの存在によって生じる捲れ上がりや捩れがなくなり、スムーズな作業性を得ることができる。
【００２３】
また、電子タグ１、１‥を、５本を単位としてペイスト材７に並設したことで、このアッセンブリの両サイドにアルミニウム板を、上端縁を相互に外方へ拡開した状態で設置して、５本まとめての電波の送受信状態の検査（検品）も可能となり、従来、単品ごとに行っていた検品作業も容易となる。
【００２４】
かかる構成とした電子タグ１は、アッセンブリ状のペイスト材７から取り外し、目的とする書籍の拡開したページ間の喉部奥へ摘み部６を持って挿し込み、そのページ間を一旦閉じることで、まず、両面テープ９を一方のページ奥へ貼着させ、ここで、摘み部６を持ってガイド５を引き剥がし、両面テープ8を露呈させ、この両面テープ８を他方のページ奥へ貼着させる。この作業によって、電子タグ１は書籍の喉部へ貼装されることとなる。
【００２５】
また、本実施例にあって、図１において表示する数値はあくまでも一例であって、これにこだわるものではなく、対象となる書籍のサイズによっても当然異なってくる。
【００２６】
対象となる書籍の電子タグ１の貼着位置についても、喉部分の中央、下方、上方と選択することができるが、これも書籍が陳列される棚に設けられた管理用のＩＣとの距離関係で決定できる。その位置によっては、不要に情報電波を拾ってしまう虞もあるからである。
【産業上の利用可能性】
【００２７】
本実施例に係る電子タグは上記のように構成され、使用される。実施例では書籍を対象として説明したが、これにこだわることなく、他の商品、包装にも応用して使用できることは勿論である。
【符号の説明】
【００２８】
１    電子タグ
２    ベーステープ
３    ＩＣチップ
４    アンテナ
５    ガイド
６    摘み部
７    ペイスト材
８，９    両面テープ
１０  フィルム剥離紙
１１，１２  剥離紙
【図１】
2019045664.tif 000003
【図２】
2019045664.tif 000004
【図３】
2019045664.tif 000005
【図４】
2019045664.tif 000006